(57)【要約】【課題】収容ケースに収容されたカプセル型内視鏡全体をムラなく、確実に滅菌すること。【解決手段】カプセル型内視鏡２を線接触で保持部４３に保持させるとともに、この保持部を収容ケース４０の収容部本体４１に収容し、収容部本体４１の開口を滅菌ガス透過性を有する滅菌シート４２でヒートシールする。そして、使用前にこの状態の収容ケース４０にガス滅菌を施すことで、滅菌ガスが滅菌シート４２を透過して収容部本体４１内に侵入してカプセル型内視鏡２全体を滅菌する。【選択図】        図６
2006087524.tif 000002
【特許請求の範囲】
【請求項１】
カプセル型内視鏡を収容する収容部本体と、
前記収容部本体の開口を閉塞し、滅菌ガス透過性を有する滅菌シートと、
前記収容部本体に設けられ、前記収容されたカプセル型内視鏡を点接触または線接触で保持する保持部と、
を備えることを特徴とするカプセル型内視鏡の収容ケース。
【請求項２】
前記カプセル型内視鏡は、鏡面仕上げ部を有し、
前記保持部は、前記カプセル型内視鏡の鏡面仕上げ部に前記収容ケースの構成部分が非接触となるように、前記カプセル型内視鏡を保持するように構成されることを特徴とする請求項１に記載のカプセル型内視鏡の収容ケース。
【請求項３】
前記保持部は、前記収容部本体と別体、または該収容部本体と一体に形成されることを特徴とする請求項１または２に記載のカプセル型内視鏡の収容ケース。
【発明の詳細な説明】
【技術分野】
【０００１】
本発明は、被検体内に導入されて被検体内部の画像情報を取得する被検体内情報取得装置、たとえば飲み込み型のカプセル型内視鏡を収容するカプセル型内視鏡の収容ケースに関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次無線通信などの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００４】
この種のカプセル型内視鏡では、たとえば特許文献１に示すような飲み込み型のものがあり、カプセル型内視鏡の駆動を制御するため、内部に外部磁場によってオン・オフするリードスイッチを備え、この外部磁場を供給する永久磁石を含むパッケージに収容された構成が提案されている。すなわち、カプセル型内視鏡内に備わるリードスイッチは、一定強度以上の磁場が与えられた環境下では、オフ状態を維持し、外部磁場の強度が低下することによってオンする構造を有する。このため、パッケージに収容されている状態では、カプセル型内視鏡は駆動しない。そして、飲み込み時に、このカプセル型内視鏡をパッケージから取り出すことで、永久磁石から離隔してカプセル型内視鏡が磁力の影響を受けなくなり、駆動を開始する。このような構成を有することによって、パッケージ内に収容された状態では、カプセル型内視鏡の駆動が防止可能となり、パッケージから取り出し後は、カプセル型内視鏡の撮像機能による画像の撮像および無線機能による画像信号の送信が行われていた。
【０００５】
【特許文献１】国際公開第０１／３５８１３号パンフレット
【発明の開示】
【発明が解決しようとする課題】
【０００６】
しかしながら、このような装置では、カプセル型内視鏡を被検者への使用前に滅菌する必要があるが、カプセル型内視鏡は、たとえばＯリングなどで保持された状態でパッケージに収容されており、滅菌ガスがパッケージ内に侵入しずらく、またＯリングとカプセル型内視鏡の接触面やパッケージとカプセル型内視鏡の接触面などは滅菌しにくく、カプセル型内視鏡全体をムラなく滅菌することができない恐れがある。
【０００７】
本発明は、上記問題に鑑みてなされたものであって、収容ケースに収容されたカプセル型内視鏡全体をムラなく、確実に滅菌することができるカプセル型内視鏡の収容ケースを提供することを目的とする。
【課題を解決するための手段】
【０００８】
上述した課題を解決し、目的を達成するために、本発明にかかるカプセル型内視鏡の収容ケースは、カプセル型内視鏡を収容する収容部本体と、前記収容部本体の開口を閉塞し、滅菌ガス透過性を有する滅菌シートと、前記収容部本体に設けられ、前記収容されたカプセル型内視鏡を点接触または線接触で保持する保持部と、を備えることを特徴とする。
【０００９】
また、請求項２の発明にかかるカプセル型内視鏡の収容ケースは、上記発明において、前記カプセル型内視鏡は、鏡面仕上げ部を有し、前記保持部は、前記カプセル型内視鏡の鏡面仕上げ部に前記収容ケースの構成部分が非接触となるように、前記カプセル型内視鏡を保持するように構成されることを特徴とする。
【００１０】
また、請求項３の発明にかかるカプセル型内視鏡の収容ケースは、上記発明において、前記保持部は、前記収容部本体と別体、または該収容部本体と一体に形成されることを特徴とする。
【発明の効果】
【００１１】
本発明にかかるカプセル型内視鏡の収容ケースは、カプセル型内視鏡を収容した収容部本体の開口部を滅菌ガス透過性を有する滅菌シートで閉塞することともに、保持部を用いてカプセル型内視鏡を点接触または線接触で収容部本体内に保持することで、カプセル型内視鏡を滅菌ガスで滅菌する際に、滅菌ガスが収容ケース内に浸入し易くなり、この収容ケースに収容されたカプセル型内視鏡全体をムラなく、確実に滅菌することができるという効果を奏する。
【発明を実施するための最良の形態】
【００１２】
以下に、本発明にかかるカプセル型内視鏡の収容ケースの実施の形態を図１〜図１５の図面に基づいて詳細に説明する。なお、本発明は、これらの実施の形態に限定されるものではなく、本発明の要旨を逸脱しない範囲で種々の変更実施の形態が可能である。
【００１３】
（実施の形態１）
図１は、本発明にかかる無線型被検体内情報取得システムの概念を示すシステム概念図である。図１において、このカプセル型内視鏡システムは、被検体１の体腔内に導入される無線型被検体内情報取得装置としての飲み込み型のカプセル型内視鏡２と、被検体１の外部に配置されて、カプセル型内視鏡２との間で各種の情報を無線通信する体外装置である受信装置３とを備えている。また、無線型被検体内情報取得システムは、受信装置３が受信したデータに基づいて画像表示を行う表示装置４と、受信装置３と表示装置４間でデータの入出力を行う携帯型記録媒体５とを備えている。
【００１４】
カプセル型内視鏡２は、図２の側断面図に示すように、外装ケースである密閉容器１１と、密閉容器１１内にあって、たとえば体腔内の被検体部位を照明するための照明光を出射するＬＥＤなどの複数の発光素子２０と、照明光による反射光を受光して被検体部位を撮像するＣＣＤやＣＭＯＳなどの固体撮像素子２２（以下代表して、「ＣＣＤ２２」という）と、このＣＣＤ２２に被写体の像を結像させる結像レンズ２７と、このＣＣＤ２２で取得した画像情報などをＲＦ信号に変調して送信するＲＦ送信ユニット２４と、ＲＦ信号の電波を放出する送信アンテナ部２５と、電池２９などの構成要素を備える。
【００１５】
密閉容器１１は、人が飲み込める程度の大きさのものであり、略半球状の先端カバー１１ａと、筒形状の胴部カバー１１ｂとを弾性的に嵌合させて、内部を液密に封止する外装ケースを形成している。先端カバー１１ａは、略半球状のドーム形状であって、ドームの後側が円形状に開口している。この先端カバー１１ａは、透明性あるいは透光性を有する透明部材、たとえば光学的性能や強度を確保するのに好ましいシクロオレフィンポリマーあるいはポリカーボネイトなどで成形され、かつその表面を鏡面仕上げ加工が施された後述する鏡面仕上げ部１１ａ１を有し、発光素子２０からの照明光を密閉容器１１の外部に透過することを可能にするとともに、この照明光による被検体からの反射光を内部に透過することを可能にする。この鏡面仕上げ部１１ａ１は、固体撮像素子２２の撮像範囲などによって決まる所定の鏡面仕上げ範囲（図２中、一点鎖線ａ，ａで示す範囲）に形成される。
【００１６】
また、胴部カバー１１ｂは、先端カバー１１ａの後端に位置して、上記構成要素を覆う部材である。この胴部カバー１１ｂは、円筒形状の胴部と、略半球状のドーム形状の後端部を一体に形成し、この胴部の前側が円形状に開口している。この胴部カバー１１ｂは、強度を確保するのに好ましいポリサルフォンなどで形成され、後述する照明手段、撮像手段および電池２９を胴部に収容し、無線送信手段を後端部に収容している。
【００１７】
カプセル型内視鏡２は、図３のブロック図に示すように、密閉容器１１の内部に、照明手段としてのＬＥＤ２０およびＬＥＤ２０の駆動状態を制御するＬＥＤ駆動回路２１と、ＬＥＤ２０によって照射された領域からの反射光である体腔内の画像（被検体内情報）を結像レンズ２７を介して撮像する撮像手段としてのＣＣＤ２２およびＣＣＤ２２の駆動状態を制御するＣＣＤ駆動回路２３と、無線送信手段としてのＲＦ送信ユニット２４および送信アンテナ部２５とを備えている。
【００１８】
また、カプセル型内視鏡２は、これらＬＥＤ駆動回路２１、ＣＣＤ駆動回路２３およびＲＦ送信ユニット２４の動作を制御するシステムコントロール回路２６を備えることにより、このカプセル型内視鏡２が被検体１内に導入されている間、ＬＥＤ２０によって照射された被検部位の画像データをＣＣＤ２２によって取得するように動作している。この取得された画像データは、さらにＲＦ送信ユニット２４によってＲＦ信号に変換され、送信アンテナ部２５を介して被検体１の外部に送信されている。さらに、カプセル型内視鏡２は、システムコントロール回路２６に電力を供給する電池２９を備えており、システムコントロール回路２６は、電池２９から供給される駆動電力を他の構成要素（機能実行手段）に対して分配する機能を有している。
【００１９】
このシステムコントロール回路２６は、たとえば各構成要素と電池２９との間に接続された切り替え機能を有するスイッチ素子およびラッチ回路などを備えている。そして、このラッチ回路は、外部からの磁界が加わると、スイッチ素子をオン状態にし、それ以降はこのオン状態を保持して、電池２９からの駆動電力をカプセル型内視鏡２内の各構成要素に供給している。なお、この実施の形態では、カプセル型内視鏡２内に備わる撮像機能を有する撮像手段、照明機能を有する照明手段および無線機能を有する無線送信手段を総称して、所定の機能を実行する機能実行手段としている。具体的には、システムコントロール回路２６を除いたものは、予め設定された所定の機能を実行する機能実行手段である。
【００２０】
受信装置３は、図１に示すように、カプセル型内視鏡２から無線送信された体腔内の画像データを受信する無線受信手段としての機能を有する。この受信装置３は、被検体１に着用されるとともに、図示しない複数の受信用アンテナを有する受信ジャケット３１と、受信された無線信号の信号処理などを行う外部装置３２とを備える。
【００２１】
表示装置４は、カプセル型内視鏡２によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００２２】
携帯型記録媒体５は、外部装置３２および表示装置４にも接続可能であって、両者に対して装着されて、接続された時に情報の出力または記録が可能な構造を有する。この実施の形態では、携帯型記録媒体５は、カプセル型内視鏡２が被検体１の体腔内を移動している間は、外部装置３２に挿入されてカプセル型内視鏡２から送信されるデータを記録する。次に、カプセル型内視鏡２が被検体１から排出された後、つまり、被検体１の内部の撮像が終了した後には、外部装置３２から取り出されて表示装置４に挿入され、この表示装置４によって、携帯型記録媒体５に記録されたデータが読み出される構成を有する。たとえば、この携帯型記録媒体５は、コンパクトフラッシュ（登録商標）メモリなどから構成され、外部装置３２と表示装置４とのデータの入出力を、携帯型記録媒体５を介して間接的に行うことができ、外部装置３２と表示装置４との間が有線で直接接続された場合と異なり、被検体１が体腔内の撮影中に自由に動作することが可能となる。
【００２３】
ところで、機能実行手段を備えるカプセル型内視鏡は、被検者への使用前には、滅菌されてその滅菌状態を保つ必要がある。そこで、この実施の形態では、上記のカプセル型内視鏡２を滅菌可能な収容ケースに収容している。図４は、このカプセル型内視鏡を収容する収容ケースの構成を示す斜視図であり、図５は、図４に示した収容ケースから滅菌シートを取り除いた場合の一例を示す斜視図であり、図６は、図４に示した収容ケースの一例を示す上面図であり、図７は、同じく収容ケースの側面図であり、図８は、図６に示した収容ケースのＡ−Ａ断面を示す断面図である。まず、図４および図５において、収容ケース４０は、カプセル型内視鏡２を収容可能な収容部本体４１と、収容部本体４１の上面に設けられた滅菌シート４２と、収容部本体４１内に備えられ、カプセル型内視鏡２を保持する保持部４３とを備える。
【００２４】
収容部本体４１は、カプセル型内視鏡２を収容可能な断面凹形状に形成されており、上面には開口４１ａと、滅菌シート４２がヒートシールして開口４１ａを閉塞するための封止面４１ｂとを備える。この封止面４１ｂは、開口４１ａの上方の外周を無端状に取り巻いて形成されている。この封止面４１ｂの一端には、ヒートシールした滅菌シート４２の取り外しが容易になるように、舌片面４１ｃが若干の段差をつけて設けられており、滅菌シート４２は、図６に示すように、封止面４１ｂおよび舌片面４１ｃの上面を覆うようにして、所定のヒートシール幅ｄ（図６の格子部分）で封止面４１ｂにヒートシールされている。
【００２５】
また、収容部本体４１は、図６〜図８に示すように、開口４１ａ内部に、作業者の指の挿入を可能にする空間領域を形成する２つの領域形成部４１ｄ，４１ｅと、収容部本体４１内に挿入された保持部４３を把持する把持部４１ｆとを備える。領域形成部４１ｄ，４１ｅは、収容部本体４１の長手方向の開口４１ａ両端にそれぞれ形成され、把持部４１ｆは、収容部本体４１の略中央部分に形成されており、把持部４１ｆには、挿入された保持部４３と係合して、保持部４３を収容部本体４１内に固定可能に把持する複数の突起部４１ｇが設けられている。これにより、作業者は、指でカプセル型内視鏡２が保持された保持部４３を、収容部本体４１内に挿入する際に、指が収容部本体４１の内部に容易に進入することができ、保持部４３を把持部４１ｆに把持することが可能となる。また、把持部４１ｆに係止された保持部４３を取り出す際にも、作業者の指が収容部本体４１内に容易に進入することができるので、保持部４３とともにカプセル型内視鏡２を、収容部本体４１内から容易に取り出すことができる。
【００２６】
この収容部本体４１は、たとえばポリプロピレンの材質で構成され、真空成形などの成形加工によって形成される。また、滅菌シート４２は、たとえばＥＯＧ（エチレンオキサイドガス）などの滅菌ガスの透過性を有する高密度ポリエチレンの材質で構成され、シール装置によって収容部本体４１の開口４１ａを閉塞するように、封止面４１ｂにヒートシールされる。収容部本体４１にヒートシールされた滅菌シート４２は、滅菌ガスは透過できるが、菌は透過できない特殊なシートである。これにより、収容ケース４０は、カプセル型内視鏡２の梱包形態であるとともに、滅菌ガスによる滅菌性および滅菌状態の持続性を確保するための機能を有することができる。
【００２７】
次に、保持部４３の構成について説明する。図９は、カプセル型内視鏡を保持した実施の形態１にかかる保持部の構成を示す斜視図であり、図１０は、図９の側断面を示す側断面図である。これら図において、保持部４３は、略Ｌ字形状の台座部４３ａと、この台座部４３ａの長手側の対向面を貫通する孔部４３ｂと、台座部４３ａの底面側に形成された磁性体（図示せず）を収納する収納部４３ｃとから構成され、着脱可能に収容部本体４１の把持部４１ｆ内に備えられている。
【００２８】
孔部４３ｂは、カプセル型内視鏡２の外径より若干大きい内径で構成され、この内周には、長手方向に複数の突起４３ｂ１が形成されている。この突起４３ｂ１は、孔部４３ｂにカプセル型内視鏡２の先端カバー１１ａ側が挿入された時に、一点鎖線ａ，ａの範囲内の鏡面仕上げ部１１ａ１が突起４３ｂ１を含む孔部４３ｂの構成部分と非接触な状態で、密閉容器１１の先端カバー１１ａと胴部カバー１１ｂの一部をそれぞれ線接触で保持するように構成されている。なお、これら突起４３ｂ１は、孔部４３ｂの長手方向に直線状に形成させるものに限らず、たとえば孔部４３ｂに複数の突起部を設け、密閉容器１１の先端カバー１１ａと胴部カバー１１ｂの一部をそれぞれ点接触で保持するように構成することも可能である。
【００２９】
また、カプセル型内視鏡２は、内部に外部からの磁界によってオン／オフ動作を行う電源供給用のリードスイッチ（図示せず）を有しており、このリードスイッチのオン状態になって各機能実行手段に電源が供給されたことを、図２に示したＬＥＤ２０の点滅によって外部に知らしめる。そこで、使用時には、収納部４３ｃに磁性体（磁石）が収納された滅菌済みの別の保持部４３に、カプセル型内視鏡２を装着して保持させることで、収納された磁性体の磁界によってリードスイッチをオン状態にし、孔部４３ｂからＬＥＤ２０の点滅状態を確認することが可能となる。すなわち、孔部４３ｂは、カプセル型内視鏡２の保持および保護機能の他に、ＬＥＤの点滅確認を容易にするための窓部の機能を有している。
【００３０】
このように、この実施の形態では、製造されたカプセル型内視鏡２を、保持部４３（磁性体なし）の孔部４３ｂに挿入して保持し、さらにこの保持部４３を収容部本体４１内に挿入させて、保持部４３を把持部４１ｆに把持することでカプセル型内視鏡２を収容部本体４１にセットする。次に、この収容部本体４１に滅菌シート４２をヒートシールした後に、収容ケース４０全体をＥＯＧ滅菌にかけることで、収容ケース４０内部の菌が滅菌され、点接触または線接触で収容部本体４１内に保持されるカプセル型内視鏡２全体をムラなく、確実に滅菌状態にすることができる。また、この実施の形態では、ヒートシールされた滅菌シート４２により新たな菌の収容ケース４０内への侵入を防ぐことで、収容ケース内の滅菌状態を保持することができる。
【００３１】
また、被検者への使用時には、収容部本体４１から滅菌シート４２を剥離させて、収容部本体４１に固定収容された保持部４３を取り出す。そして、カプセル型内視鏡２を保持部４３から滅菌済みの磁性体を収納する別の保持部に保持させて、カプセル型内視鏡２のリードスイッチをオンにし、電池２９から各機能実行手段への電源供給を可能にする。なお、この実施の形態では、収容部本体４１に収容される保持部４３を別の保持部と同様に、磁性体の収容を可能とする収納部４３ｃを有する構成として、規格の統一を図って両者の製造を容易にするものとしたが、本発明はこれに限らず、収容部本体４１に収容される保持部４３は、この収納部４３ｃを備えない構成にすることも無論可能である。
【００３２】
したがって、この実施の形態では、カプセル型内視鏡が収容部本体内に収容され、かつ収容部本体とは別体の保持部に線接触で保持されるとともに、収容部本体の開口を滅菌ガス透過性を有する滅菌シートでヒートシールするので、ガス滅菌時に、カプセル型内視鏡の接触部分にも滅菌ガスが侵入して、ガス滅菌が施され、これによってカプセル型内視鏡全体をムラなく、確実に滅菌することができる。
【００３３】
（実施の形態２）
実施の形態１では、保持部４３を収容部本体４１と別体で構成した例を説明したが、本発明はこれに限らず、収容部本体と保持部を一体に構成することも可能であり、その構成を図１１〜図１５の図面を用いて説明する。
【００３４】
図１１は、図４に示した収容ケースから滅菌シートを取り除いた場合の他例を示す斜視図であり、図１２は、図４に示した収容ケースの他例を示す上面図であり、図１３は、図１２に示した保持部のＢ−Ｂ断面を示す断面図であり、図１４は、図１１に示した保持部のＣ−Ｃ断面を示す断面図であり、図１５は、図１３に示したＤ部分の拡大断面を示す断面図である。これら図において、実施の形態１と同様の構成部分に関しては、説明の都合上、同一符号を付記するものとする。
【００３５】
この実施の形態では、収容部本体４１の開口４１ａ内部に、実施の形態１と同様の２つの領域形成部４１ｄ，４１ｅと、略中央部分に形成された保持部４４とを備える。この保持部４４は、収容部本体４１と一体的に形成されており、保持部４４には、長手方向に挿入されたカプセル型内視鏡２を把持する複数の突起４４ａが、保持部４４の長手方向に形成されている。すなわち、図１１、図１３および図１４に示すように、保持部４４は、底面を有する円筒形の断面凹形状に形成されており、その内径は、カプセル型内視鏡２の外径より若干大きい内径で構成されている。この保持部４４の内周には、保持部４４の底面に向う長手方向に直線状の突起４４ａが複数形成されている。また、保持部４４の底面側には、段差４４ｂが設けられており、この段差４４ｂの内径は、保持部４４の開口側の内径よりも、小さい径で構成されている。
【００３６】
この実施の形態では、図１５に示すように、保持部４４にカプセル型内視鏡２の先端カバー１１ａ側が挿入された時に、一点鎖線ａ，ａの範囲内の鏡面仕上げ部１１ａ１が突起４４ａおよび段差４４ｂを含む保持部４４の構成部分と非接触な状態になるように、突起４４ａが密閉容器１１の胴部カバー１１ｂの一部を線接触で保持するとともに、段差４４ｂの先端部が先端カバー１１ａの一部を線接触で保持するように構成されている。なお、これら突起４４ａは、保持部４４の長手方向に直線状に形成させるものに限らず、たとえば保持部４４に複数の突起部を設け、密閉容器１１の胴部カバー１１ｂの一部をそれぞれ点接触で保持するように構成することも可能である。
【００３７】
また、収容部本体４１および保持部４４の底面は、半透明の材質から構成されているので、この収容部本体４１に収容されたカプセル型内視鏡２に磁性体を近づけることで、リードスイッチをオン状態にし、保持部４４の底面を介してＬＥＤ２０の点滅状態を確認することが可能となる。または、実施の形態１と同様に、磁性体が収納された滅菌済みの別の保持部４３に、カプセル型内視鏡２を装着して保持させることで、リードスイッチをオン状態にし、孔部４３ｂからＬＥＤ２０の点滅状態を確認しても良い。
【００３８】
このように、この実施の形態では、カプセル型内視鏡が収容部本体内に収容され、かつ収容部本体と一体構成の保持部に線接触で保持されるとともに、収容部本体の開口を滅菌ガス透過性を有する滅菌シートでヒートシールするので、ガス滅菌時に、カプセル型内視鏡の接触部分にも滅菌ガスが侵入して、ガス滅菌が施され、これによってカプセル型内視鏡全体をムラなく、確実に滅菌することができる。
【００３９】
また、この実施の形態では、収容部本体と保持部を一体的に形成するので、真空成形などの成形加工の際に、一度に収容部本体と保持部を形成することができ、これによって収容ケースの製造工程および製造コストの削減を図ることが可能となる。
【図面の簡単な説明】
【００４０】
【図１】本発明にかかる無線型被検体内情報取得システムの概念を示すシステム概念図である。
【図２】図１に示したカプセル型内視鏡の概略構成を示す側断面図である。
【図３】図２に示したカプセル型内視鏡の内部構成を示すブロック図である。
【図４】カプセル型内視鏡を収容する収容ケースの構成を示す斜視図である。
【図５】図４に示した収容ケースから滅菌シートを取り除いた場合の一例を示す斜視図である。
【図６】図４に示した収容ケースの一例を示す上面図である。
【図７】同じく収容ケースの側面図である。
【図８】図６に示した収容ケースのＡ−Ａ断面を示す断面図である。
【図９】カプセル型内視鏡を保持した実施の形態１にかかる保持部の構成を示す斜視図である。
【図１０】図９の側断面を示す側断面図である。
【図１１】図４に示した収容ケースから滅菌シートを取り除いた場合の他例を示す斜視図である。
【図１２】図４に示した収容ケースの他例を示す上面図である。
【図１３】図１２に示した保持部のＢ−Ｂ断面を示す断面図である。
【図１４】図１１に示した保持部のＣ−Ｃ断面を示す断面図である。
【図１５】図１３に示したＤ部分の拡大断面を示す断面図である。
【符号の説明】
【００４１】
１  被検体
２  カプセル型内視鏡
３  受信装置
４  表示装置
５  携帯型記録媒体
１１  密閉容器
１１ａ  先端カバー
１１ａ１  鏡面仕上げ部
１１ｂ  胴部カバー
２０  発光素子
２１  ＬＥＤ駆動回路
２２  固体撮像素子
２３  ＣＣＤ駆動回路
２４  ＲＦ送信ユニット
２５  送信アンテナ部
２６  システムコントロール回路
２７  結像レンズ
２９  電池
３１  受信ジャケット
３２  外部装置
４０  収容ケース
４１  収容部本体
４１ａ  開口
４１ｂ  封止面
４１ｃ  舌片面
４１ｄ，４１ｅ  領域形成部
４１ｆ  把持部
４１ｇ，４３ｂ１，４４ａ  突起部
４２  滅菌シート
４３，４４  保持部
４３ａ  台座部
４３ｂ  孔部
４３ｃ  収納部
４４ｂ  段差
【図１】
2006087524.tif 000003
【図２】
2006087524.tif 000004
【図３】
2006087524.tif 000005
【図４】
2006087524.tif 000006
【図５】
2006087524.tif 000007
【図６】
2006087524.tif 000008
【図７】
2006087524.tif 000009
【図８】
2006087524.tif 000010
【図９】
2006087524.tif 000011
【図１０】
2006087524.tif 000012
【図１１】
2006087524.tif 000013
【図１２】
2006087524.tif 000014
【図１３】
2006087524.tif 000015
【図１４】
2006087524.tif 000016
【図１５】
2006087524.tif 000017